(57)【要約】【課題】  ハイライト付きの映像データを再生する際に、ユーザーが容易にボタンコマンドを実行できるようにする。【解決手段】  映像コンテンツに含まれるハイライト情報を解析し、ハイライト情報のコマンド有効期間の開始時刻に到達したときに、ＦＬ表示管を点灯するか、又はモニターにコマンド有効期間中であることを示すアイコン等をＯＳＤ表示して、ユーザーに対してコマンド有効期間中であることを通知する。【選択図】  図２
2006311119.tif 000002
【特許請求の範囲】
【請求項１】
ハイライト情報を含む映像データを再生する映像再生方法であって、
前記映像データに含まれるハイライト情報を検出して該ハイライト情報の内容を解析する工程と、
前記解析したハイライト情報のコマンド有効期間をユーザーに通知する工程と、
前記コマンド有効期間中にユーザーからコマンド実行要求があったときに、そのコマンドを実行する工程とを備えたことを特徴とする映像再生方法。
【請求項２】
請求項１に記載された映像再生方法において、
前記コマンド有効期間中に、前記解析したハイライト情報のコマンド内容をモニターにＯＳＤ（On Screen Display）表示してユーザーに通知する工程と、
前記表示されたコマンド内容のうちユーザーが選択したコマンドを実行する工程とをさらに備えたことを特徴とする映像再生方法。
【請求項３】
請求項１又は２に記載された映像再生方法において、
前記映像データの再生時間が前記コマンド有効期間の開始時刻に到達したときに、該映像データの再生を一時停止する工程をさらに備えたことを特徴とする映像再生方法。
【請求項４】
請求項１に記載された映像再生方法において、
前記解析したハイライト情報のコマンド内容と、前記コマンド有効期間の開始時刻における前記映像データのサムネイル画像とを格納する工程と、
前記格納したハイライト情報のコマンド一覧と前記サムネイル画像とをモニターに表示する工程と、
前記一覧表示されたコマンド内容のうちユーザーが選択したコマンドを実行する工程とをさらに備えたことを特徴とする映像再生方法。
【請求項５】
請求項４に記載された映像再生方法において、
前記ハイライト情報の内容を電気通信回線を通じて取得する工程をさらに備えたことを特徴とする映像再生方法。
【請求項６】
請求項４に記載された映像再生方法において、
前記格納されたハイライト情報のうち、前記映像データの現在の再生時刻において実行可能なコマンド内容、及び事前にユーザーが選択したコマンド内容を含むハイライト情報を抽出する工程と、
前記抽出したハイライト情報のコマンド一覧と前記サムネイル画像とをモニターに表示する工程とをさらに備えたことを特徴とする映像再生方法。
【請求項７】
請求項４に記載された映像再生方法において、
前記コマンドを実行し該コマンドに係る動作が終了したときに、再びコマンド実行前の再生時刻位置に戻る工程をさらに備えたことを特徴とする映像再生方法。
【請求項８】
ハイライト情報を含む映像データを再生する映像再生装置であって、
前記映像データに含まれるハイライト情報を検出して該ハイライト情報の内容を解析する手段と、
前記解析したハイライト情報のコマンド有効期間をユーザーに通知する手段と、
前記コマンド有効期間中にユーザーからコマンド実行要求があったときに、そのコマンドを実行する手段とを備えたことを特徴とする映像再生装置。
【請求項９】
請求項８に記載された映像再生装置において、
前記コマンド有効期間中に、前記解析したハイライト情報のコマンド内容をモニターにＯＳＤ（On Screen Display）表示してユーザーに通知する手段と、
前記表示されたコマンド内容のうちユーザーが選択したコマンドを実行する手段とをさらに備えたことを特徴とする映像再生装置。
【請求項１０】
請求項８又は９に記載された映像再生装置において、
前記映像データの再生時間が前記コマンド有効期間の開始時刻に到達したときに、該映像データの再生を一時停止する手段をさらに備えたことを特徴とする映像再生装置。
【請求項１１】
請求項８に記載された映像再生装置において、
前記解析したハイライト情報のコマンド内容と、前記コマンド有効期間の開始時刻における前記映像データのサムネイル画像とを格納する手段と、
前記格納したハイライト情報のコマンド一覧と前記サムネイル画像とをモニターに表示する手段と、
前記一覧表示されたコマンド内容のうちユーザーが選択したコマンドを実行する手段とをさらに備えたことを特徴とする映像再生装置。
【請求項１２】
請求項１１に記載された映像再生装置において、
前記ハイライト情報の内容を電気通信回線を通じて取得する手段をさらに備えたことを特徴とする映像再生装置。
【請求項１３】
請求項１１に記載された映像再生装置において、
前記格納されたハイライト情報のうち、前記映像データの現在の再生時刻において実行可能なコマンド内容、及び事前にユーザーが選択したコマンド内容を含むハイライト情報を抽出する手段と、
前記抽出したハイライト情報のコマンド一覧と前記サムネイル画像とをモニターに表示する手段とをさらに備えたことを特徴とする映像再生装置。
【請求項１４】
請求項１１に記載された映像再生装置において、
前記コマンドを実行し該コマンドに係る動作が終了したときに、再びコマンド実行前の再生時刻位置に戻る手段をさらに備えたことを特徴とする映像再生装置。
【発明の詳細な説明】
【技術分野】
【０００１】
本発明は、ハイライト情報を含む映像データが記録されたデータ記録媒体を再生する映像再生方法及び映像再生装置に関するものである。
【背景技術】
【０００２】
従来、ハイライト情報を含む映像データを映像再生装置で再生する際には、ハイライトに該当するボタンコマンド、副映像データ、及びボタン有効区間を、そのデータに付随する管理情報に基づいて検知し、主映像に重ね合わせてその区間のみハイライト表示させるようにしている。以下、コンテンツの具体例について図１を用いて説明する。
【０００３】
図１（ａ）のタイトルＡにはハイライトａが存在している。このハイライトａにはボタンに色が付いているため、ユーザーはボタンが存在することを視覚的に認識することができる。また、ハイライト有効期間が１０分００秒から１０分３０秒であり、その有効時間が十分に長いことから、この場合には、ユーザーはハイライトａの存在を認識でき、さらにユーザーの意思によりボタンコマンドを実行することが容易である。
【０００４】
図１（ｂ）のタイトルＢにはハイライトｂが存在している。このハイライトｂにはボタンに色が付いているため、ユーザーはボタンが存在することを視覚的に認識することができる。しかしながら、ハイライト有効期間が１０分００秒から１０分０１秒であり、その有効時間が非常に短いことから、この場合には、ユーザーはハイライトｂの存在を認識できたとしても、ユーザーの意思によりボタンコマンドを実行することが大変困難である。
【０００５】
この場合には、ユーザーが繰り返し映像を再生させてそのコマンド実行タイミングをつかむことで、何とか有効期間内にコマンド実行させることができるが、非常に使いにくいという問題がある。
【０００６】
図１（ｃ）のタイトルＣにはハイライトｃが存在している。このハイライトｃにはボタンに色が付いておらず（管理情報自体に色データ、表示位置、及びサイズ情報等が記載されていない）、ユーザーはボタンの存在を視覚的に認識することができない。なお、ハイライト有効期間は１０分００秒から１０分３０秒と比較的長いものであるとする。
【０００７】
このように、ハイライトｃの有効期間が十分に長いとしても、このハイライトｃがユーザーに判り難い色（背景と同系色又は透明色）であれば、他のマニュアル類にハイライトｃの情報が記載されていなければ、ユーザーはハイライトｃの存在を認識することができず、ユーザーの意志によりコマンドを実行することができない。偶然にリモコン操作等でコマンドが実行できたとしても、ユーザーの意図ではないため混乱を招く可能性がある。
【０００８】
図１（ｄ）のタイトルＤにはハイライトｄが存在している。このハイライトｄにはボタンに色が付いておらず（管理情報自体に色データ、表示位置、及びサイズ情報等が記載されていない）、ユーザーはボタンの存在を視覚的に認識することができない。さらに、ハイライト有効期間が１０分００秒から１０分０１秒と非常に短いことから、この場合には、ユーザーはハイライトｄの存在を認識することができず、さらに有効時間が非常に短いためユーザーの意思によりボタンコマンドを実行することはほとんど不可能である。
【０００９】
図１に示すコンテンツの再生例は全て同一の装置で実現しており、ハイライトに付随したボタンコマンド解析装置を搭載した再生装置を想定している。映像ストリーム再生中にハイライトが存在する場合には、その内容を解析してディスク管理情報の指定する表示開始時間から表示終了時間まで主映像と重ねてハイライトを表示させる。その期間中にユーザーからボタンコマンド実行の要求があれば、そのコマンドを実行させる。しかしながら、その期間外ではコマンドを実行することは不可能である。
【００１０】
特許文献１には、例えば、タッチパネル式の小型モニターで映像ストリームのメニュー画面を表示したときにボタン領域が非常に小さい場合には、該ボタン領域の代わりにＯＳＤ（On Screen Display）表示させてボタンの選択を容易にするようにしたものが開示されている。
【特許文献１】特開２００２−１５２６４１号公報
【発明の開示】
【発明が解決しようとする課題】
【００１１】
しかしながら、ストリーム中に存在するハイライトの定義はそのディスクの管理情報に依存しており、例えば、図１（ａ）に示すように、ハイライトの有効期間が十分に確保され且つハイライトが識別しやすい色になっている場合には、ユーザーの意志でボタンコマンドを実行することは比較的容易である。しかし、図１（ｂ）〜図１（ｄ）に示すように、ボタンの有効期間が短い場合やボタンに色データがない（透明）場合には、ユーザーがボタンコマンドを実行できないおそれがある。
【００１２】
また、このような装置では、例えユーザーがボタンの存在を認識できたとしても、その有効期間が過ぎてしまうとそのボタンコマンドを実行できないという問題があった。
【００１３】
本発明は、かかる点に鑑みてなされたものであり、その目的とするところは、ハイライト付きの映像データを再生する際に、ユーザーが容易にボタンコマンドを実行できるようにすることにある。
【課題を解決するための手段】
【００１４】
すなわち、本発明の映像再生装置は、映像データを再生する際にハイライトの存在を検知すると、その情報を記憶媒体に格納する機能を有している。具体的には、その格納する情報は、“ハイライト有効期間の開始時間及び有効期間”、“ボタンコマンド内容”である。また、これ以外にも、“その時点における画像イメージ（サムネイル画像表示用）”、“ハイライトの色データ”、“領域（座標位置及びサイズ）”を格納するようにしてもよい。
【００１５】
このようなハイライト情報を格納するには、映像データの再生前に全ストリームを先読みしてハイライト情報のみを抽出して格納するようにしてもよいし、再生中に順次ハイライト情報を格納するようにしてもよい。
【００１６】
また、これらの記憶領域に一度格納した情報は、ディスクを取り出した後も継続して記憶するようにしてもよいし、再び同じディスクを再生するとディスクの固有ＩＤに基づいて情報を呼び出すようにしてもよい。
【００１７】
また、この映像再生装置でディスクを再生してハイライト情報を読み取ることなく、インターネットや外部メモリ等からそのディスクのハイライト情報を取得するようにしてもよい。
【００１８】
このように、本発明の映像再生装置のシステム構成によれば、従来の映像再生装置に対して“ハイライト情報の格納領域”及び“ハイライト情報を用いた再生制御部”のみを追加するだけでハイライト付きの映像データを再生することが可能となり、ユーザーの利便性が高まる。
【発明の効果】
【００１９】
以上のように、本発明によれば、ユーザーは映像データの再生前後において映像中に存在するハイライト情報を全て把握することができ、コンテンツ製作者の特典機能をもれなく実行させることができる。
【発明を実施するための最良の形態】
【００２０】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２１】
図２は、本発明の実施形態に係る映像再生装置１００の全体構造を示すブロック図である。図２に示すように、この映像再生装置１００は光ディスク１１を再生するものであり、データ読み取り装置１２で読み出された光ディスク１１の管理情報、主映像データ、副映像データ、及び映像コンテンツに含まれるハイライトデータ等がデータ復号装置１５に出力され、このデータ復号装置１５のデータ分別部を通じてデータ格納装置１４に対して主映像データ、副映像データ、及びハイライトデータが格納される。このとき、データ復号装置１５に接続されたボタンコマンド解析装置１７でハイライト情報が解析される。
【００２２】
そして、データ復号装置１５の主映像復号部及び副映像復号部により、光ディスク１１のデータに基づく映像がモニターに出力される。
【００２３】
これら一連の処理は、前記データ読み取り装置１２及びデータ復号装置１５に接続された制御装置１６によって行われる。また、ユーザーによるコマンド実行要求があれば、その指令がユーザーコマンド解析装置１３から制御装置１６に出力されて必要な制御が行われるようになっている。
【００２４】
さらに、前記データ読み取り装置１２には、再生中の光ディスク１１に付随するハイライト情報を持ったインターネットサーバー等の外部記憶媒体１８が接続されており、外部からハイライト情報を取得できるようになっている。
【００２５】
＜ハイライト通知モード＞
図３は、本実施形態に係る映像再生装置におけるハイライト通知モード設定時の処理を示すフローチャート図である。図３に示すように、ステップＳ１０１では、映像再生装置１００における動作モードを、ハイライト期間を通知する「ハイライト通知モード」に設定し、続くステップＳ１０２に進む。ステップＳ１０２では、ハイライト付き映像コンテンツの再生を開始する。
【００２６】
ステップＳ１０３では、コンテンツの再生状況を監視して該コンテンツの再生が終了したかを判定する。ステップＳ１０３での判定が「ＹＥＳ」の場合には、そのまま処理を終了する。ステップＳ１０３での判定が「ＮＯ」の場合には、ステップＳ１０４に分岐して、ステップＳ１０４で、再生中のコンテンツにハイライト情報が存在するかを判定する。
【００２７】
ステップＳ１０４での判定が「ＮＯ」の場合には、ステップＳ１０３に分岐して、再びコンテンツの再生状況を判定する。ステップＳ１０４での判定が「ＹＥＳ」の場合には、ステップＳ１０５に分岐して、ステップＳ１０５で、ハイライト情報の取得及び解析を行う。
【００２８】
そして、ステップＳ１０６で、コンテンツの再生時間がハイライト有効開始時刻に到達したかを判定し、ステップＳ１０６での判定が「ＮＯ」の場合には、コンテンツの再生時間がハイライト有効開始時刻に到達するまで待機する。ステップＳ１０６での判定が「ＹＥＳ」の場合には、ステップＳ１０７に分岐して、ステップＳ１０７で、映像再生装置１００に設けられたＦＬ表示管を点灯するか、又はモニターにアイコン等をＯＳＤ表示して、続くステップＳ１０８に進む。
【００２９】
ステップＳ１０８では、ユーザーからのコマンド実行要求があったかを判定する。ステップＳ１０８での判定が「ＹＥＳ」の場合には、ステップＳ１１１に分岐し、ステップＳ１１１で、コマンドを実行してステップＳ１０３に戻る。ステップＳ１０８での判定が「ＮＯ」の場合には、ステップＳ１０９に分岐する。
【００３０】
ステップＳ１０９では、コンテンツの再生時間がハイライト有効終了時刻に到達したかを判定する。ステップＳ１０９での判定が「ＮＯ」の場合には、コンテンツの再生時間がハイライト有効終了時刻に到達するまで待機する。ステップＳ１０９での判定が「ＹＥＳ」の場合には、ステップＳ１１０に分岐して、ステップＳ１１０で、ＦＬ表示管を消灯するか、又はモニターにＯＳＤ表示されていたアイコン等を消去して処理を終了する。
【００３１】
以上のような処理を行うことにより、ユーザーがハイライトの有効期間を視覚的に認識することができ、ハイライト領域のハイライト色が薄い（又は無色）場合、又はハイライト領域が極端に狭い（又は無い）場合であってもハイライトコマンドを実行することが可能となる。
【００３２】
以下、ハイライト通知モード設定時におけるモニター表示の具体例について、ハイライト通知機能を使用しない場合と比較しながら説明する。
【００３３】
図４（ａ）は、ハイライト通知機能を使用しない場合の具体例を示す図である。図４（ａ）において、２０は映像ストリームの再生時間を示すタイムバー、２１はハイライト有効期間を示す。また、２５はそれぞれの再生時間の時点におけるモニターの表示イメージ、２６は映像ストリーム上に存在するハイライト枠を示す。
【００３４】
ここで、ハイライト有効期間２１を１０分００秒から１０分３０秒とした場合、ハイライト有効期間２１の開始時刻である１０分００秒になったところで、ディスクに記録されているハイライト情報に基づいて作成されたハイライト枠２６がモニター２５上に表示される。そして、ハイライト有効期間の終了時刻である１０分３０秒になったところでモニター２５に表示されているハイライト枠２６が消去される。
【００３５】
図４（ｂ）は、ハイライト通知モード設定時の具体例を示す図である。図４（ｂ）において、２７はハイライト有効期間中であることを示すアイコンである。
【００３６】
この場合、ハイライト有効期間２１の開始時刻である１０分００秒になったところで、映像ストリームに記録されているハイライト枠２６の他にハイライト有効期間中であることを示すアイコン２７をモニター２５にＯＳＤ表示させる。そして、ハイライト有効期間２１の終了時刻である１０分３０秒になったところで、モニター２５に表示されているハイライト枠２６と同期させてアイコン２７を消去させる。
【００３７】
図４（ｃ）は、ハイライト通知機能を使用しない場合の別の具体例を示す図である。図４（ｃ）における映像ストリームは、図４（ａ）における映像ストリームと略同一であるが、ハイライト有効期間２１を示す領域が無色である点が異なっている。
【００３８】
この場合、ハイライト有効期間２１が１０分００秒から１０分３０秒であるが、ユーザーがそのハイライト有効期間２１の存在を認識する可能性は極めて低い。
【００３９】
図４（ｄ）は、ハイライト通知モード設定時の別の具体例を示す図である。図４（ｄ）では、ハイライト有効期間２１を示す領域が無色であるとする。この場合、ハイライト有効期間２１の開始時刻である１０分００秒になったところで、ハイライト有効期間中であることを示すアイコン２７をモニター２５にＯＳＤ表示させる。そして、ハイライト有効期間２１の終了時刻である１０分３０秒になったところで、モニター２５に表示されているアイコン２７を消去させる。
【００４０】
これにより、ハイライト有効期間２１を示す領域が無色であっても、ハイライト有効期間中にアイコン２７がＯＳＤ表示されるから、ユーザーがハイライト有効期間を容易に把握できるようになり、コマンドを適切に実行することができる。
【００４１】
＜ハイライト表示モード＞
図５は、本実施形態に係る映像再生装置におけるハイライト表示モード設定時の処理を示すフローチャート図である。図５に示すように、ステップＳ２０１では、映像再生装置１００における動作モードを、ハイライトのコマンド内容を通知する「ハイライト表示モード」に設定し、続くステップＳ２０２に進む。ステップＳ２０２では、ハイライト付き映像コンテンツの再生を開始する。
【００４２】
ステップＳ２０３では、コンテンツの再生状況を監視して該コンテンツの再生が終了したかを判定する。ステップＳ２０３での判定が「ＹＥＳ」の場合には、そのまま処理を終了する。ステップＳ２０３での判定が「ＮＯ」の場合には、ステップＳ２０４に分岐して、ステップＳ２０４で、再生中のコンテンツにハイライト情報が存在するかを判定する。
【００４３】
ステップＳ２０４での判定が「ＮＯ」の場合には、ステップＳ２０３に分岐して、再びコンテンツの再生状況を判定する。ステップＳ２０４での判定が「ＹＥＳ」の場合には、ステップＳ２０５に分岐して、ステップＳ２０５で、ハイライト情報の取得及び解析を行う。
【００４４】
そして、ステップＳ２０６で、コンテンツの再生時間がハイライト有効開始時刻に到達したかを判定し、ステップＳ２０６での判定が「ＮＯ」の場合には、コンテンツの再生時間がハイライト有効開始時刻に到達するまで待機する。ステップＳ２０６での判定が「ＹＥＳ」の場合には、ステップＳ２０７に分岐して、ステップＳ２０７で、コマンド内容をＯＳＤ表示して、続くステップＳ２０８に進む。ここで、ハイライトが同時に複数存在する場合には、それぞれのハイライトの表示位置に重ねてコマンド名を表示させ、どのハイライトの情報であるかを明確にするようにしてコマンド内容をユーザーに通知する。
【００４５】
ここで、複数のハイライトの表示位置が隣接している場合には、コマンド内容のＯＳＤ文字列が重なる可能性がありユーザーが混乱を招くおそれがある。このような場合には、ハイライト毎に番号キーが定義されているときはその番号のみをハイライト表示位置に表示させ、定義されていないときは新規に定義した番号のみを表示させる。なお、この番号に該当するコマンド内容は、モニター上の別の空き領域に表示させることでユーザーに通知する。
【００４６】
ステップＳ２０８では、ユーザーからのコマンド実行要求があったかを判定する。ステップＳ２０８での判定が「ＹＥＳ」の場合には、ステップＳ２１１に分岐し、ステップＳ２１１で、コマンドを実行してステップＳ２０３に戻る。ステップＳ２０８での判定が「ＮＯ」の場合には、ステップＳ２０９に分岐する。
【００４７】
ステップＳ２０９では、コンテンツの再生時間がハイライト有効終了時刻に到達したかを判定する。ステップＳ２０９での判定が「ＮＯ」の場合には、コンテンツの再生時間がハイライト有効終了時刻に到達するまで待機する。ステップＳ２０９での判定が「ＹＥＳ」の場合には、ステップＳ２１０に分岐して、ステップＳ２１０で、コマンド名のＯＳＤ表示を消去して処理を終了する。
【００４８】
以上のような処理を行うことにより、ユーザーがハイライトの有効期間を視覚的に認識することができ、さらにコマンド実行前にコマンド内容を確認することができて必要なコマンドのみを実行することが可能となる。
【００４９】
以下、ハイライト表示モード設定時におけるモニター表示の具体例について、ハイライト表示機能を使用しない場合と比較しながら説明する。
【００５０】
図６（ａ）は、ハイライト表示機能を使用しない場合の具体例を示す図である。図６（ａ）において、３０はモニターの表示イメージ、３１は映像ストリームの再生時間のある時点に存在するハイライトを示すハイライト枠である。
【００５１】
このような場合には、モニター３０上にハイライト枠３１が表示されているので、ユーザーがハイライトの存在を認識することはできるが、このハイライトがどのような内容であるかはコマンドを実行するまで不明であった。
【００５２】
図６（ｂ）は、ハイライト表示モード設定時の具体例を示す図である。図６（ｂ）において、３２はハイライトの内容を示すコマンド内容である。
【００５３】
この場合、映像ストリーム上に存在するハイライトを示すハイライト枠３１をモニター３０に表示させるとともに、このハイライトのコマンド内容３２をモニター３０にＯＳＤ表示させる。
【００５４】
これにより、ユーザーがハイライトのコマンド実行前にコマンド内容を把握することができ、実行するか否かを事前に判断することができる。
【００５５】
＜ハイライト一時停止モード＞
図７は、本実施形態に係る映像再生装置におけるハイライト一時停止モード設定時の処理を示すフローチャート図である。図７に示すように、ステップＳ３０１では、映像再生装置１００の動作モードを、ハイライトの有効開始時刻にコンテンツの再生を一時停止させる「ハイライト一時停止モード」に設定し、続くステップＳ３０２に進む。ステップＳ３０２では、ハイライト付き映像コンテンツの再生を開始する。
【００５６】
ステップＳ３０３では、コンテンツの再生状況を監視して該コンテンツの再生が終了したかを判定する。ステップＳ３０３での判定が「ＹＥＳ」の場合には、そのまま処理を終了する。ステップＳ３０３での判定が「ＮＯ」の場合には、ステップＳ３０４に分岐して、ステップＳ３０４で、再生中のコンテンツにハイライト情報が存在するかを判定する。
【００５７】
ステップＳ３０４での判定が「ＮＯ」の場合には、ステップＳ３０３に分岐して、再びコンテンツの再生状況を判定する。ステップＳ３０４での判定が「ＹＥＳ」の場合には、ステップＳ３０５に分岐して、ステップＳ３０５で、ハイライト情報の取得及び解析を行う。
【００５８】
そして、ステップＳ３０６で、コンテンツの再生時間がハイライト有効開始時刻に到達したかを判定し、ステップＳ３０６での判定が「ＮＯ」の場合には、コンテンツの再生時間がハイライト有効開始時刻に到達するまで待機する。ステップＳ３０６での判定が「ＹＥＳ」の場合には、ステップＳ３０７に分岐して、ステップＳ３０７で、制御装置１６によりコンテンツの再生を自動的に一時停止し、続くステップＳ３０８に進む。なお、コンテンツの再生を一時停止させる時間については、ユーザーが任意に設定するものとする。
【００５９】
ステップＳ３０８では、ユーザーからのコマンド実行要求があったかを判定する。ステップＳ３０８での判定が「ＹＥＳ」の場合には、ステップＳ３１０に分岐し、ステップＳ３１０で、ユーザーコマンド解析装置１３から制御装置１６に対して指示されたコマンドを実行してステップＳ３０３に戻る。ステップＳ３０８での判定が「ＮＯ」の場合には、ステップＳ３０９に分岐する。
【００６０】
ステップＳ３０９では、制御装置１６によりコンテンツの再生の一時停止が解除され、一時停止していた時刻からコンテンツの再生を再開して処理を終了する。
【００６１】
以上のような処理を行うことにより、ハイライト有効期間が極端に短い場合であってもユーザーがハイライトの存在を視覚的に認識することができ、コマンドを実行するか否かを選択する時間的余裕ができてコマンドをもれなく実行することができる。また、上述したようなコマンド名をＯＳＤ表示させる処理を組み合わせれば、コマンド実行前にコマンド内容を確認することができて必要なコマンドをもれなく実行することが可能となる。
【００６２】
以下、ハイライト一時停止モード設定時におけるモニター表示の具体例について、ハイライト一時停止機能を使用しない場合と比較しながら説明する。
【００６３】
図８（ａ）は、ハイライト一時停止機能を使用しない場合の具体例を示す図である。図８（ａ）において、３５は映像ストリームの再生時間を示すタイムバー、３６はハイライト有効期間を示す。また、３７はそれぞれの再生時間の時点におけるモニターの表示イメージ、３８は映像ストリーム上に存在するハイライト枠を示す。
【００６４】
ここで、ハイライト有効期間３６を１０分００秒から１０分０１秒とした場合、ハイライト有効期間３６の開始時刻である１０分００秒になったところで、ディスクに記録されているハイライト情報に基づいて作成されたハイライト枠３８がモニター３７上に表示される。そして、ハイライト有効期間３６の終了時刻である１０分０１秒になったところでモニター３７に表示されているハイライト枠３８が消去される。
【００６５】
この場合、ハイライト有効期間３６が非常に短いため、ユーザーがコマンドを実行したいと思っても実行できない可能性が高い。
【００６６】
図８（ｂ）は、ハイライト一時停止モード設定時の具体例を示す図である。図８（ｂ）に示すように、ハイライト有効期間３６の開始時刻である１０分００秒になったところで、映像ストリームに記録されているハイライト枠３８を表示させるとともに、映像ストリームの再生を自動的に一時停止させる。このようにすれば、ユーザーは時間的に余裕を持ってハイライトのコマンドを実行するか否かを選択することが可能となる。
【００６７】
＜ハイライト一覧表示モード＞
図９は、本実施形態に係る映像再生装置におけるハイライト一覧表示モード設定時の処理を示すフローチャート図である。図９に示すように、ステップＳ４０１では、映像再生装置１００における動作モードを、ハイライトのコマンド一覧を表示する「ハイライト一覧表示モード」に設定し、続くステップＳ４０２に進む。ステップＳ４０２では、ハイライト付き映像コンテンツの再生を開始する。
【００６８】
ステップＳ４０３では、コンテンツの再生状況を監視して該コンテンツの再生が終了したかを判定する。ステップＳ４０３での判定が「ＹＥＳ」の場合には、そのまま処理を終了する。ステップＳ４０３での判定が「ＮＯ」の場合には、ステップＳ４０４に分岐して、ステップＳ４０４で、再生中のコンテンツにハイライト情報が存在するかを判定する。
【００６９】
ステップＳ４０４での判定が「ＮＯ」の場合には、ステップＳ４０３に分岐して、再びコンテンツの再生状況を判定する。ステップＳ４０４での判定が「ＹＥＳ」の場合には、ステップＳ４０５に分岐して、ステップＳ４０５で、ハイライト情報の取得及び解析を行う。また、前記ハイライトの有効開始時刻における静止画を主画像データ格納部に格納する。
【００７０】
そして、ステップＳ４０６では、ユーザーからハイライト一覧表示要求があったかを判定する。ステップＳ４０６での判定が「ＮＯ」の場合には、ステップＳ４０３に分岐して、再びコンテンツの再生状況を判定する。ステップＳ４０６での判定が「ＹＥＳ」の場合には、ステップＳ４０７に分岐して、ステップＳ４０７で、ハイライト情報及び主映像データに基づいて、格納したハイライト一覧（コマンド名、有効期間の開始時刻）をモニターにＯＳＤ表示して、続くステップＳ４０８に進む。なお、主映像データをそれぞれハイライトに隣接して表示するようにしてもよい。
【００７１】
ステップＳ４０８では、ユーザーからのコマンド実行要求があったかを判定する。ステップＳ４０８での判定が「ＹＥＳ」の場合には、ステップＳ４１０に分岐し、ステップＳ４１０で、コマンドを実行してステップＳ４０３に戻る。ステップＳ４０８での判定が「ＮＯ」の場合には、ステップＳ４０９に分岐し、ステップＳ４０９では、ハイライト一覧表示をモニターから消去して処理を終了する。
【００７２】
以上のような処理を行うことにより、ユーザーがハイライトの内容をまとめて理解することができるだけでなく、ハイライトの有効期間が過ぎてもハイライトのコマンドを実行することが可能となる。また、ハイライトの有効期間の開始時刻やその時点における主映像を表示させることで、ハイライトのコマンド実行前にコマンド内容の詳細を確認することが可能となる。
【００７３】
以下、ハイライト一覧表示モード設定時におけるモニター表示の具体例について図１０を用いて説明する。図１０に示すように、ユーザーから「ハイライト一覧表示」の要求があった場合に、ハイライト情報格納部に格納していたハイライトデータを解析し、モニター４０に“ハイライトの通し番号”、“コマンド内容”、“ハイライト有効期間の開始時刻”、及び“その時刻位置における主映像イメージデータ”を表示させる。
【００７４】
このように、映像ストリームの再生後、ハイライト一覧をモニターに表示させるようにしたから、映像ストリームの再生中であって且つハイライト有効期間内のみにしかできなかったハイライトのコマンドを実行するか否かの判断を、ユーザーがじっくりと検討することができるようになる。
【００７５】
＜ハイライト外部取込モード＞
図１１は、本実施形態に係る映像再生装置におけるハイライト外部取込モード設定時の処理を示すフローチャート図である。図１１に示すように、ステップＳ５０１では、映像再生装置１００における動作モードを、ハイライト情報を外部（インターネットサーバー等の外部記憶媒体）から取り込む「ハイライト外部取込モード」に設定し、続くステップＳ５０２に進む。ステップＳ５０２では、ハイライト付き映像コンテンツの再生を開始する。
【００７６】
ステップＳ５０３では、前記コンテンツに付随するハイライト情報をインターネットサーバ等の外部記憶媒体１８から取得してハイライト情報格納部に格納する。そして、ステップＳ５０４では、コンテンツの再生状況を監視して該コンテンツの再生が終了したかを判定する。
【００７７】
ステップＳ５０４での判定が「ＹＥＳ」の場合には、そのまま処理を終了する。ステップＳ５０４での判定が「ＮＯ」の場合には、ステップＳ５０５に分岐して、ステップＳ５０５で、ユーザーからハイライト一覧表示要求があったかを判定する。
【００７８】
ステップＳ５０５での判定が「ＮＯ」の場合には、ステップＳ５０４に分岐して、再びコンテンツの再生状況を判定する。ステップＳ５０５での判定が「ＹＥＳ」の場合には、ステップＳ５０６に分岐して、ステップＳ５０６で、取得したハイライト情報及び主映像データに基づいて、前記ハイライト情報格納部に格納したハイライトの一覧（コマンド名、有効期間の開始時刻）をモニターにＯＳＤ表示して、続くステップＳ５０７に進む。なお、この格納したハイライト情報の中にハイライト有効期間の開始時刻における主映像データの静止画が存在する場合には、この静止画をそれぞれハイライトに隣接して表示するようにしてもよい。
【００７９】
ステップＳ５０７で、ユーザーからのコマンド実行要求があったかを判定する。ステップＳ５０７での判定が「ＹＥＳ」の場合には、ステップＳ５０９に分岐し、ステップＳ５０９で、コマンドを実行してステップＳ５０４に戻る。ステップＳ５０７での判定が「ＮＯ」の場合には、ステップＳ５０８に分岐する。ステップＳ５０８では、ハイライト一覧表示をモニターから消去して処理を終了する。
【００８０】
以上のような処理を行うことにより、ユーザーがコンテンツの再生と同時に、該コンテンツに付随するハイライト情報をインターネット等を通じて取得してこのハイライトの内容をまとめて理解することができ、さらにハイライトの有効期間が過ぎてもハイライトのコマンドを実行することが可能となる。また、ハイライトの有効期間の開始時刻やその時点における主映像を表示させることで、ハイライトのコマンド実行前にコマンド内容の詳細を確認することが可能となる。
【００８１】
＜特定ハイライト一覧表示モード＞
図１２は、本実施形態に係る映像再生装置における特定ハイライト一覧表示モード設定時の処理を示すフローチャート図である。図１２に示すように、ステップＳ６０１では、映像再生装置１００における動作モードを、特定のハイライトのコマンド一覧を表示する「特定ハイライト一覧表示モード」に設定し、続くステップＳ６０２に進む。ステップＳ６０２では、ハイライト付き映像コンテンツの再生を開始する。
【００８２】
ステップＳ６０３では、コンテンツの再生状況を監視して該コンテンツの再生が終了したかを判定する。ステップＳ６０３での判定が「ＹＥＳ」の場合には、そのまま処理を終了する。ステップＳ６０３での判定が「ＮＯ」の場合には、ステップＳ６０４に分岐して、ステップＳ６０４で、再生中のコンテンツにハイライト情報が存在するかを判定する。
【００８３】
ステップＳ６０４での判定が「ＮＯ」の場合には、ステップＳ６０３に分岐して、再びコンテンツの再生状況を判定する。ステップＳ６０４での判定が「ＹＥＳ」の場合には、ステップＳ６０５に分岐して、ステップＳ６０５で、ハイライト情報の取得及び解析を行う。また、前記ハイライトの有効期間の開始時刻における主映像データの静止画を主映像データ格納部に格納する。
【００８４】
そして、ステップＳ６０６では、ユーザーからハイライト一覧表示要求があったかを判定する。ステップＳ６０６での判定が「ＮＯ」の場合には、ステップＳ６０３に分岐して、再びコンテンツの再生状況を判定する。ステップＳ６０６での判定が「ＹＥＳ」の場合には、ステップＳ６０７に分岐して、ステップＳ６０７で、ハイライト情報及び主映像データの中から、先にユーザーが選択した特定のハイライト情報及び前記ハイライト一覧表示要求のあった時刻において実行可能なコマンドを抽出する。
【００８５】
ステップＳ６０８では、ハイライト情報及び主映像データに基づいて、格納したハイライト一覧（コマンド名、有効期間の開始時刻）をモニターにＯＳＤ表示する。なお、主映像データの静止画をそれぞれハイライトに隣接して表示するようにしてもよい。
【００８６】
ステップＳ６０９では、ユーザーからのコマンド実行要求があったかを判定する。ステップＳ６０９での判定が「ＹＥＳ」の場合には、ステップＳ６１１に分岐し、ステップＳ６１１で、コマンドを実行してステップＳ６０３に戻る。ステップＳ６０９での判定が「ＮＯ」の場合には、ステップＳ６１０に分岐する。ステップＳ６１０では、ハイライト一覧表示をモニターから消去して処理を終了する。
【００８７】
以上のような処理を行うことにより、ユーザーがハイライトの内容をまとめて理解することができるだけでなく、ハイライトの有効期間が過ぎてもハイライトのコマンドを実行することが可能となる。
【００８８】
また、ハイライトの有効期間の開始時刻やその時点における主映像を表示させることで、ハイライトのコマンド実行前にコマンド内容の詳細を確認することが可能となる。さらに、ユーザーが先に選択し且つ実行可能なコマンドのみを表示させるようにしたから、ユーザーが操作する上で混乱を招くことが少なく、より使いやすくなる。
【００８９】
以下、特定ハイライト一覧表示モード設定時におけるモニター表示の具体例について図１３を用いて説明する。図１３に示すように、ユーザーから「ユーザー指定且つ実行可能なハイライト一覧表示」の要求があった場合に、ハイライト情報格納部に格納していたハイライトデータを解析し、さらに予めユーザーが指定したコマンド且つ指定した地点において実行可能なコマンドを抽出する。
【００９０】
そして、モニター４０に“ハイライトの通し番号”、“コマンド内容”、“ハイライト有効期間の開始時刻”、及び“その地点における主映像イメージデータ”を表示させる。
【００９１】
このように、映像ストリームの再生後、はユーザーが指定し且つその地点において実行可能なハイライト一覧をモニターに表示させるようにしたから、映像ストリームの再生中且つハイライト有効期間内のみにしかできなかったハイライトのコマンドを実行するか否かの判断を、ユーザーが必要とするコマンド群に対してじっくりと検討することができるようになる。
【００９２】
＜ハイライトレジュームモード＞
図１４は、本実施形態に係る映像再生装置におけるハイライトレジュームモード設定時の処理を示すフローチャート図である。図１４に示すように、ステップＳ７０１では、映像再生装置１００における動作モードを、ハイライトのコマンド実行後に再びハイライト実行直前の地点に戻る「ハイライトレジュームモード」に設定し、続くステップＳ７０２に進む。ステップＳ７０２では、ハイライト付き映像コンテンツの再生を開始する。
【００９３】
ステップＳ７０３では、コンテンツの再生状況を監視して該コンテンツの再生が終了したかを判定する。ステップＳ７０３での判定が「ＹＥＳ」の場合には、そのまま処理を終了する。ステップＳ７０３での判定が「ＮＯ」の場合には、ステップＳ７０４に分岐して、ステップＳ７０４で、ハイライトレジューム情報が存在し且つユーザーからハイライトレジュームコマンドの実行要求があったかを判定する。
【００９４】
ステップＳ７０４での判定が「ＹＥＳ」の場合には、ステップＳ７０５に分岐して、ステップＳ７０５で、ハイライトレジュームのコマンドを実行してステップＳ７０３に進む。これにより、コマンド実行後に再びコマンド実行直前の地点に戻ることが可能となる。
【００９５】
ステップＳ７０４での判定が「ＮＯ」の場合には、ステップＳ７０６に分岐して、ステップＳ７０６で、再生中のコンテンツにハイライト情報が存在するかを判定する。
【００９６】
ステップＳ７０６での判定が「ＮＯ」の場合には、ステップＳ７０３に分岐して、再びコンテンツの再生状況を判定する。ステップＳ７０６での判定が「ＹＥＳ」の場合には、ステップＳ７０７に分岐して、ステップＳ７０７で、ハイライト情報の取得及び解析を行う。
【００９７】
そして、ステップＳ７０８では、コンテンツの再生時間がハイライト有効開始時刻に到達したかを判定し、ステップＳ７０８での判定が「ＮＯ」の場合には、コンテンツの再生時間がハイライト有効開始時刻に到達するまで待機する。ステップＳ７０８での判定が「ＹＥＳ」の場合には、ステップＳ７０９に分岐して、ステップＳ７０９で、コマンド内容をモニターにＯＳＤ表示する。ここで、ハイライトが同時に複数存在する場合には、それぞれのハイライトの表示位置に重ねてコマンド名を表示させてコマンド内容をユーザーに通知する。
【００９８】
ステップＳ７１０では、ユーザーからのコマンド実行要求があったかを判定する。ステップＳ７１０での判定が「ＹＥＳ」の場合には、ステップＳ７１１に分岐し、ステップＳ７１１で、ハイライトレジュームのコマンド実行地点における時刻を記憶する。そして、ステップＳ７１２で、コマンドを実行してステップＳ７０３に戻る。ステップＳ７１０での判定が「ＮＯ」の場合には、ステップＳ７１３に分岐する。
【００９９】
ステップＳ７１３では、コンテンツの再生時間がハイライト有効終了時刻に到達したかを判定する。ステップＳ７１３での判定が「ＮＯ」の場合には、コンテンツの再生時間がハイライト有効終了時刻に到達するまで待機する。ステップＳ７１３での判定が「ＹＥＳ」の場合には、ステップＳ７１４に分岐して、ステップＳ７１４で、コマンド名のＯＳＤ表示を消去して処理を終了する。
【０１００】
以上のような処理を行うことにより、ユーザーがハイライトの有効期間を視覚的に認識することができるだけでなく、コマンド実行前にコマンド内容を確認することができて必要なコマンドのみを実行することが可能となる。さらに、コマンド実行後に再び実行直前の地点へ戻るようにしたから、コンテンツを続きから再生させることが可能となる。
【産業上の利用可能性】
【０１０１】
以上説明したように、本発明は、ハイライト付きの映像データを再生する際に、ユーザーが容易にボタンコマンドを実行できるようにするという実用性の高い効果が得られることから、きわめて有用で産業上の利用可能性は高い。したがって、ＤＶＤプレーヤをはじめとする光ディスク再生機器で有用であり、また、光ディスクに限らず大容量蓄積メディア再生機器にも応用できる。
【図面の簡単な説明】
【０１０２】
【図１】コンテンツの具体例を示す図である。
【図２】本発明の実施形態に係る映像再生装置の全体構造を示すブロック図である。
【図３】ハイライト通知モード設定時の処理を示すフローチャート図である。
【図４】ハイライト通知モード設定時のモニター表示の具体例を示す図である。
【図５】ハイライト表示モード設定時の処理を示すフローチャート図である。
【図６】ハイライト表示モード設定時のモニター表示の具体例を示す図である。
【図７】ハイライト一時停止モード設定時の処理を示すフローチャート図である。
【図８】ハイライト一時停止モード設定時のモニター表示の具体例を示す図である。
【図９】ハイライト一覧表示モード設定時の処理を示すフローチャート図である。
【図１０】ハイライト一覧表示モード設定時のモニター表示の具体例を示す図である。
【図１１】ハイライト外部取込モード設定時の処理を示すフローチャート図である。
【図１２】特定ハイライト一覧表示モード設定時の処理を示すフローチャート図である。
【図１３】特定ハイライト一覧表示モード設定時のモニター表示の具体例を示す図である。
【図１４】ハイライトレジュームモード設定時の処理を示すフローチャート図である。
【符号の説明】
【０１０３】
１１    光ディスク
１２    データ読み取り装置
１３    ユーザーコマンド解析装置
１４    データ格納装置
１５    データ復号装置
１６    制御装置
１７    ボタンコマンド解析装置
１８    外部記憶媒体
【図１】
2006311119.tif 000003
【図２】
2006311119.tif 000004
【図３】
2006311119.tif 000005
【図４】
2006311119.tif 000006
【図５】
2006311119.tif 000007
【図６】
2006311119.tif 000008
【図７】
2006311119.tif 000009
【図８】
2006311119.tif 000010
【図９】
2006311119.tif 000011
【図１０】
2006311119.tif 000012
【図１１】
2006311119.tif 000013
【図１２】
2006311119.tif 000014
【図１３】
2006311119.tif 000015
【図１４】
2006311119.tif 000016